(57)【要約】【課題】受動光分配ネットワークの分配セクションの個々のファイバリンクブランチの監視を可能にする、受動光ネットワークを監視する方法および受動光ネットワークを提供すること。【解決手段】本発明の方法は、第１の光監視信号４０をセクションを介して第１の信号送信時刻に受動光ネットワークの第１の送受信装置３０、１〜９の送信手段８１、３４によって送信するステップと、第２の光監視信号４１〜４５をセクションを介して第２の信号送信時刻に受動光ネットワークの第２の送受信装置３０、１〜９の送信手段８１、３４によって送信し、前記光監視信号４０〜４５の送信時刻が、光監視信号が前記セクションを通過中にスーパーインポーズされて測定信号５２を作成するように調整されるステップと、前記測定信号の少なくとも一部の特性を好ましくは少なくとも１つの光監視信号送信送受信装置１〜９によって検出し分析するステップとを含む。【選択図】      図１
2006180475.tif 000002
【特許請求の範囲】
【請求項１】
受動光ネットワークの光ファイバリンクの少なくとも１つのセクションで監視する方法であって、
第１の光監視信号を前記セクションを介して第１の信号送信時刻に受動光ネットワークの第１の送受信装置の送信手段によって送信するステップと、
少なくとも１つの第２の光監視信号を前記セクションを介して第２の信号送信時刻に受動光ネットワークの第２の送受信装置の送信手段によって送信するステップであって、前記光監視信号、好ましくは光時間領域反射測定信号の送信時刻が、光監視信号が前記セクションを通過中にスーパーインポーズされて測定信号を作成するように調整される、送信するステップと、
前記測定信号の少なくとも一部の特性を好ましくは少なくとも１つの光監視信号送信送受信装置によって検出し分析するステップとを含む方法。
【請求項２】
前記光監視信号全てが送受信装置としての光ネットワークユニットによって送信される請求項１に記載の方法。
【請求項３】
受動光ネットワークの中央局、好ましくは光回線端末による、光監視信号を送信すべきであるという情報、およびこの光監視信号の信号送信時刻、好ましくは開始ビット数を含む測定調整メッセージを前記送受信装置の少なくとも１つに送信するステップが実行される請求項１に記載の方法。
【請求項４】
パルス信号が光監視信号として送信され、信号送信時刻が前記中央局の時間スケジューリング手段によって選択され、前記信号送信時刻間の時間的なずれが、前記選択された信号送信時刻の少なくとも１つを前記光監視信号送信送受信装置によって知られている遅延等化で補正することによって計算される請求項３に記載の方法。
【請求項５】
受動光ネットワークのための中央局であって、
光監視信号が、受動光ネットワークの光ファイバリンクの監視すべき少なくとも１つのセクション、好ましくは受動分配ノードの後ろの分配セクションを通過中にスーパーインポーズされて測定信号を作成するように調整された光監視信号の信号送信時刻を選択するように設計された時間スケジューリング手段と、
監視信号を送信すべきであるという情報、およびこの監視信号の信号送信時刻、好ましくは開始ビット数を含む測定調整メッセージを少なくとも１つの光ネットワークユニットに送信するように設計された送信手段とを備える中央局。
【請求項６】
中央局が、監視信号を光ファイバリンクを介して信号送信時刻の１つで送信するように設計された送信手段を備える光回線端末を含む請求項５に記載の中央局。
【請求項７】
前記時間スケジューリング手段が、受動光ネットワークの時分割多重化システムによってスケジューリング手段に割り当てられた時間間隔内で前記信号送信時刻を選択するように設計される請求項５に記載の中央局。
【請求項８】
受動光ネットワークのための光ネットワークユニットであって、
監視信号を送信すべきであるという情報、および前記監視信号の信号送信時刻、好ましくは開始ビット数を含む測定調整メッセージを受信するように設計された受信手段と、
監視信号を光ファイバリンクを介して前記信号送信時刻に送信するように設計された送信手段とを備える光ネットワークユニット。
【請求項９】
光ネットワークユニットが、知られている遅延等化で前記送信時刻を補正するように設計された時間補正手段を備える請求項８に記載の光ネットワークユニット。
【請求項１０】
中央局および少なくとも１つの光ネットワークユニットを備える受動光ネットワークであって、
前記中央局が、
光監視信号が、受動光ネットワークの光ファイバリンクの監視すべき少なくとも１つのセクション、好ましくは受動分配ノードの後ろの分配セクションを通過中にスーパーインポーズされて測定信号を作成するように調整された光監視信号の信号送信時刻を選択するように設計された時間スケジューリング手段と、
監視信号を送信すべきであるという情報、およびこの監視信号の信号送信時刻、好ましくは開始ビット数を含む測定調整メッセージを少なくとも１つの光ネットワークユニットに送信するように設計された送信手段とを備え、
前記光ネットワークユニットが、
監視信号を送信すべきであるという情報、およびこの監視信号の信号送信時刻、好ましくは開始ビット数を含む測定調整メッセージを受信するように設計された受信手段と、
監視信号を光ファイバリンクを介して前記信号送信時刻に送信するように設計された送信手段とを備える受動光ネットワーク。
【発明の詳細な説明】
【技術分野】
【０００１】
本発明は、参照により本明細書に組み込まれる優先権出願欧州特許出願第０４２９３０７２．７号に基づく。
【０００２】
本発明は、受動光ネットワーク（ｐａｓｓｉｖｅ  Ｏｐｔｉｃａｌ  Ｎｅｔｗｏｒｋ（ＰＯＮ））に関し、詳細には、光分配ネットワーク（Ｏｐｔｉｃａｌ  Ｄｉｓｔｒｉｂｕｔｉｏｎ  Ｎｅｔｗｏｒｋ（ＯＤＮ））、監視方法、および監視方法のステップを実行するように設計された受動光ネットワークに関する。受動光ネットワークは、２つの送受信装置を接続する少なくとも１つの光ファイバリンクを含む。２つの送受信装置の１つは光回線端末（Ｏｐｔｉｃａｌ  Ｌｉｎｅ  Ｔｅｒｍｉｎａｌ（ＯＬＴ））であり、１つはたとえばエンドユーザ（加入者）光ネットワークユニット（Ｏｐｔｉｃａｌ  Ｎｅｔｗｏｒｋ  Ｕｎｉｔ（ＯＮＵ））などファイバ終端である。光分配ネットワークは、少なくとも１つの受動分配ノード、および前記受動分配ノード（スプリッタ）の後ろの分配セクションの光ファイバリンク、および前記受動分配ノードまでのフィーダセクションの少なくとも１つの光ファイバリンクを含む。光分配ネットワークでは、光ネットワークユニットは分配セクションの加入者引き込みセクションの光ファイバリンクに接続され、光回線端末はフィーダセクションの光ファイバリンクに接続される。
【背景技術】
【０００３】
光ファイバ伝送システムは、今日では非常に広範囲に及び、超高速データ、音声、ビデオ伝送をサポートしている。サポートすべき重要性および信頼性レベルの向上により、性能の監視およびネットワーク管理がますます重要になった。物理的キャリア、すなわち光ファイバの障害を検出することができる信頼性のあるツールの必要性がますます切実に感じられる。ファイバプラントの実装中、並びに、実装後のネットワーク操作中に、光回線状態を検査する方法を適用する必要がある。なぜなら、ファイバリンクの障害の迅速な検出および確認は、ユーザへのサービスダウン時間およびネットワークオペレータ（プロバイダ）への収入のいかなる損失も最小限に抑える助けになるからである。
【０００４】
ファイバが都市圏およびアクセスネットワークにより多く使用されるに従って、光リンクの性能を連続的または少なくとも定期的に監視する必要性が高まっている。監視によって、リンクの効率低下の早期検出の場合の予防対策が可能になり、それによって、ネットワークの高い可用性を確保することができ、たとえば重要サービスをビジネス顧客に配信することができる。また障害に備えた監視手段の導入は、障害の原因を迅速にローカライズし確認して、修復または復元動作を開始する助けになる。ネットワークオペレータは、リンクの障害の原因を迅速に確認し、すなわち、ファイバの問題の場合は、光ファイバ（ファイバリンク）自体などファイバプラントとノード機器のどちらが原因であるかを判断して、ファイバリンクの障害または効率低下のタイプをローカライズし確認する必要がある。大抵のファイバリンク問題は、損失および反射の増加に関連しており、それがエラーのないデータの検出を妨げ、レーザの放射を妨害して、伝送されたデータの歪みを引き起こす。色分散の変化による問題は、アクセスの際に考えられる低データ転送速度による可能性は低い。したがって、ＰＯＮアクセスネットワーク監視は、ＰＯＮのオペレータによって保証されるべき予防保守およびネットワークの信頼性の鍵である。二地点間（ｐ−ｔ−ｐ）リンクの他に、アクセスネットワーク内での受動光分配システム（ＰＯＮ）への関心が非常に高まっている。ＰＯＮ技法は、サービスプロバイダと加入者の間の複雑で高コストの能動電力素子を主に回避することによって、ローカルループのためのコスト効率の高いアーキテクチャを示すものである。
【０００５】
アクセスの際のＰＯＮの連続的な光性能の監視および監督、障害の検出およびローカライズ、すなわちファイバリンクの特性の測定は、サービスの可用性を向上し、プロバイダにかなりのコスト節約をもたらす好ましいネットワーク機能である。ＰＯＮネットワークは、光分配ネットワークに基づくものであり、スプリッタがネットワークの中心である中央局（Ｃｅｎｔｒａｌ  Ｏｆｆｉｃｅ（ＣＯ））の外部のフィールドに配置され、光回線端末がＯＤＮのフィーダセクションに接続される。ｐ−ｔ−ｐネットワークでは、光の単一パルスをファイバリンクに発射し、光ファイバリンクの評価を可能にする反射光の測定による光時間領域反射測定（Ｏｐｔｉｃａｌ  Ｔｉｍｅ  Ｄｏｍａｉｎ  Ｒｅｆｌｅｃｔｏｍｅｔｒｙ（ＯＴＤＲ））技法がネットワークの監視に使用される。ＰＯＮネットワークでは、中央局側から受動分配ノードを超えたファイバリンクのプロパティの検査が難しい。なぜなら、接続されたファイバリンクのブランチ全てからのスプリッタを越えての応答、すなわち後方散乱反射がスーパーインポーズされ、簡単に分離することができないからである。各ブランチのＯＴＤＲ信号は、他の信号によって部分的にマスクされる。したがって、単一パルス方法など光性能監視の既存の従来のＣＯベースのＯＴＤＲ技法は、ＰＯＮタイプの光分配ネットワークで明確な結果を得るためには使用できない。
【０００６】
さらに、受動光ネットワークの光時間領域反射測定が、かなりの分割損失を受ける恐れがあり、それによって達成可能な測定の正確さが低減され、測定に必要な時間が延長される。特に、分配された分割位置を有するＰＯＮでは、２つのスプリッタの間のファイバリンクである中間リンクの反射測定が妨げられる。これは、監視の目的で、光リンク光ソースおよび検出器、すなわちＯＮＵおよび／またはＯＮＴの送受信装置のソースおよび検出器を使用する測定／監視技法の大きな問題であり、高い測定信号電力レベルを導入することができない。
【０００７】
このスプリッタ衰退問題を緩和するには、光リンクエミッタの他に最大出力電力の大きい光ソースを使用し、専用の特別の光スイッチまたは結合器でファイバリンクに結合する。基本的に、分配スプリッタを備えた、減衰の大きいＰＯＮネットワークはこのとき監視されず、連続的にも監視されない。
【０００８】
ＰＯＮでＯＴＤＲ技法を使用する基本的な問題は、順方向の信号、すなわち励起信号、並びに後方散乱測定信号の減衰による、分配セクション、すなわちスプリッタの後のファイバリンク（分配ファイバ）での測定である。この減衰によって、ＯＬＴ側から出力された測定信号の後方散乱部分の電力レベルが、望ましい正確かつ感知可能な測定ができるほど十分高くならない。
【０００９】
知られた監視手法はかなりの技術努力を要し、高コストである。専用ＯＴＤＲ機器は高コストであり、要求に応じて予想される障害サイトに輸送しなければならないことが多い。特別の結合デバイスによってデータリンクに恒久的な追加の挿入損失がもたらされる。連続した監視を行うことができない。
【発明の開示】
【発明が解決しようとする課題】
【００１０】
したがって、本発明の目的は、関連技術に関連する問題を克服し、具体的には受動光分配ネットワークの分配セクションのそれぞれ個々のファイバリンクブランチの監視を可能にする、受動光ネットワークを監視する方法および受動光ネットワークを提供することである。
【課題を解決するための手段】
【００１１】
光ファイバリンクの少なくとも１つのセクション、すなわち測定位置、好ましくは受動光ネットワークの受動分配ノードの後の分配セクションを監視するための本発明の方法は、
第１の光監視信号を前記セクションを介して第１の信号送信時刻に受動光ネットワークの第１の送受信装置の送信手段によって送信するステップと、
少なくとも１つの第２の光監視信号を前記セクションを介して第２の信号送信時刻に受動光ネットワークの第２の送受信装置の送信手段によって送信するステップとを含む。
【００１２】
好ましくは光時間領域反射測定信号である前記光監視信号の送信時刻は、光監視信号が前記セクションを通過中にスーパーインポーズされて測定信号を作成するように調整される。スーパーインポーズは、信号の包絡線がスーパーインポーズされ、すなわち測定信号の電力レベルが個々の信号の電力レベルの合計になるように行うことができる。
【００１３】
送受信装置は、光ネットワークユニットまたは光回線端末として実施される。前記測定信号の少なくとも一部、すなわち、たとえば反射または散乱信号電力が検出され、その特性が、好ましくは光監視信号送信送受信装置の少なくとも１つによって分析される。たとえば、信号を送信する送受信装置は、固有の、すなわち光監視信号として恒久に送信される試験信号または定義された時間間隔で送信される試験信号を送信することができる。したがって、光監視信号の送信のための追加の開始プロセスは不要である。この場合、たとえばＯＮＵなど信号送信送受信装置の位相調整だけが必要とされ、知られている受動光ネットワークの送受信装置に認識された知られている遅延等化（Ｅｑｕａｌｉｓａｔｉｏｎ  Ｄｅｌａｙ）の助けで行うことができる。こうした遅延等化は、それぞれの送受信装置がネットワークに登録されている場合、送受信装置から送受信装置が通信するＯＬＴまでの信号の伝播時間から導出される。
【００１４】
本発明は、ＰＯＮの両端からの光時間領域反射測定を使用し、分割されたファイバリンクセグメント、すなわちこのセグメントの測定位置で測定信号電力を増加するように、たとえば加入者側からの、すなわち少なくとも２つのＯＮＵからの一致した、すなわち同時のパルス出力を構成することを提案する。現行のＯＮＵ（加入者側）送信機を全て使用することによって、一方側の単一送信機方法による往復の減衰をデシベルで５０％まで低減することができる。したがって、個別の分割位置の間に位置するセグメントは、それぞれ両側のスプリッタの光減衰によってマスクされ、少なくとも２つの、好ましくは全てのリンクエミッタ、すなわち送受信装置の単なるサポートで、より正確に、またはより短縮された時間フレームで、特徴（減衰、後方散乱、反射、屈曲、障害のローカリゼーション）付けられる。ＯＮＵまたは加入者サイトにアプローチする必要性が回避される。本発明の方法は、基本的に適宜に定位置に配置された機器および構成要素を使用して実施することができる。すなわち、この機器を、すなわち新しいソフトウェアなどによって、本発明の方法を実施するように適合させることができる。
【００１５】
前記光監視信号全てが送受信装置としての光ネットワークユニットによって送信される場合、光回線端末によって送信された測定信号によってさえぎられることなく、１つの光ネットワークユニットを使用して、測定信号、すなわち、たとえば散乱信号電力の一部を検出することができる。
【００１６】
本発明の非常に好ましい実施形態では、受動光ネットワークの中央局、好ましくは光回線端末による、光監視信号を送信すべきであるという情報、およびこの光監視信号の定義フレーム内の、またはネットワークに分配された時間情報に関連する、信号送信時刻、好ましくは開始ビット数を含む測定調整メッセージを前記送受信装置の少なくとも１つに送信するステップが実行される。したがって、測定時刻を柔軟に選択することができる。受動光ネットワーク上の正規のデータ伝播が妨害されないように、または妨害が最小限に抑えられるように、測定時刻を選択することができる。知られた受動光ネットワークでは、フレーム時間開始時点からビットをカウントすることによって、システム時間が使用される。信号送信時刻がこのシステム時間の開始ビット数として設定された場合、信号送信装置の追加のシステム時間調整を行う必要がない。測定調整メッセージが前記送受信装置の１つだけに送信される場合、中央局は、それ自体で第２の監視信号を送信しなければならない。好ましくは、測定調整メッセージは送受信装置としての少なくとも２つの光ネットワークユニットに送信される。
【００１７】
特に後者の本発明の好ましい実施形態では、好ましくはパルス信号が光監視信号として送信され、信号送信時刻は前記中央局の時間スケジューリング手段によって選択される。前記信号送信時刻間の時間的なずれは、前記光監視信号を送信する送受信装置が、知られている遅延等化で前記選択された信号送信時刻の少なくとも１つを補正することによって計算される。この時間的なずれは、監視すべき前記セクションまで光監視信号の経路を進行する信号の信号伝播時間の差に一致し、光ネットワークユニットから光回線端末までの信号伝播経路全体の信号伝播時間の時間差と同じである。時間的なずれを測定位置まで経路を進行する信号から計算することもできるが、知られている受動光ネットワークの送受信装置によって知られている遅延等化を使用することが好ましい。こうした遅延等化は、それぞれ送受信装置がネットワークに登録されている場合、送受信装置から送受信装置が通信するＯＬＴまでの信号伝播時間から導出される。
【００１８】
したがって、本発明の方法は、衝突のない上流側の多重化のために、ＰＯＮで行われる時間的測定を活用する。それによって、ＰＯＮで行われる測定プロセスによって、測定エネルギパルス（監視信号）の構成的重畳がサポートされる。送信機（送受信装置）全てによって出力されるパルスは、同じ位置（測定位置）で同時に全ての信号と全ての励起エネルギを統合するために、測定位置までの伝播時間の補数（ｃｏｍｐｌｅｍｅｎｔ）によって遅延される。時間補正値は、ＰＯＮの時分割多重化で使用される値と同じである。本質的に、本発明による反射測定では、正規の遅延測定およびオーバーラップのないスケジューリングによる正常な操作中に回避すべき状況に焦点があてられる。測定プロセス自体によって、接続されたＯＮＵの伝播遅延差が正常化される。すなわち、スケジューラがＯＮＵ全てに同じスロットを認可すれば、放射が衝突するであろう。本発明によれば、まさしく、一定の測定地での所期電力増加のための構成がなされる。
【００１９】
本発明による受動光ネットワークのための中央局は、
光監視信号が、受動光ネットワークの光ファイバリンクの監視すべき少なくとも１つのセクション、好ましくは受動分配ノードの後ろの分配セクションを通過中にスーパーインポーズされて測定信号を作成するように調整された光監視信号の信号送信時刻を選択するように設計された時間スケジューリング手段と、
監視信号を送信すべきであるという情報、およびこの監視信号の信号送信時刻、好ましくは開始ビット数を含む測定調整メッセージを少なくとも１つの光ネットワークユニットに送信するように設計された送信手段とを備える。
【００２０】
本発明の中央局は、光ネットワークユニットと共に動作して、本発明の方法のステップ、具体的には上述の本発明の非常に好ましい実施形態による方法のステップを実行することができる。したがって、本発明の中央局は、本発明の方法の利点を提供するものである。
【００２１】
中央局が、送信手段を備え監視信号を信号送信時刻の１つで光ファイバリンクを介して送信するように設計された光回線端末を含む場合、光回線端末を光監視信号送信送受信装置の１つとして使用することができる。
【００２２】
好ましくは、前記時間スケジューリング手段は、受動光ネットワークの時分割多重化システムによってスケジューリング手段に割り当てられた時間間隔内で前記信号送信時刻を選択するように設計される。したがって、受動光ネットワークの既存の時分割多重化システムを使用して、受動光ネットワーク上の正規のデータトラフィックが妨害されないように、信号送信時刻を選択することができる。
【００２３】
受動光ネットワークのための本発明による光ネットワークユニットは、
監視信号を送信すべきであるという情報、およびこの監視信号の信号送信時刻、好ましくは開始ビット数を含む測定調整メッセージを受信するように設計された受信手段と、
監視信号を前記信号送信時刻に光ファイバリンクを介して送信するように設計された送信手段とを備える。
【００２４】
本発明の光ネットワークユニットは、少なくとも１つの本発明の中央局と共に動作して、本発明の方法のステップ、特に上述の本発明の非常に好ましい実施形態による方法のステップを実行することができる。したがって、本発明の中央局は、本発明の方法の利点を提供するものである。
【００２５】
有利には、本発明の光ネットワークユニットは、前記送信時刻を知られている遅延等化で補正するように設計された時間補正手段を備える。したがって、光監視信号の送信時刻を、受動光ネットワークで知られている遅延測定を使用して本発明の光ネットワークユニットによって調整することができる。
【００２６】
本発明による受動光ネットワーク、好ましくは光分配ネットワークは、少なくとも１つの本発明の中央局および少なくとも１つの本発明の光ネットワークユニットを備える。
【００２７】
さらなる利点を説明および添付の図面から得ることができる。上記および下記に述べた特徴を本発明と共に個別にまたは任意の組合せで集合的に使用することができる。述べられる実施形態は、網羅的な列挙ではなく、本発明の説明の例示の特徴を持つものとして理解されたい。
【００２８】
次に、本発明の実施形態を添付の図面を参照して説明する。
【発明を実施するための最良の形態】
【００２９】
光分配ネットワークが図に概略的に示されている。光分配ネットワークは、たとえば光スプリッタなど４つの受動分配ノード１０〜１３、および、第１の分配ノード１０とファイバ終端光ネットワークユニット１〜９（加入者局）の間の範囲を指す第１の受動分配ノード１０の後ろの分配セクション２０の光ファイバリンク１５と、前記第１の受動分配ノード１０までのフィーダセクション２２の光ファイバリンク１６を備える。受動光分配ネットワークは、９つの光ネットワークユニット１〜９、および送受信装置としての光回線端末３０を備える。ＯＮＵのうちの８つは、図示する目的で単に１つの箱として示されている。光回線端末３０は本発明による中央局３１の一部である。
【００３０】
受動光ネットワークの中央局３１は、時間スケジューリング手段３２、およびＯＬＴ３０の送信手段と同一の送信手段３４を備える。時間スケジューリング手段３２は、光監視信号４０〜４５が、監視すべき光ファイバリンク１５、１６のセクションを通過中にスーパーインポーズされるように調整される光監視信号４０〜４５の信号送信時刻を選択するように設計される。この測定位置５０は、図の例では、第１のスプリッタ１０と第２のスプリッタ１１の間に位置する。光監視信号４０〜４５のスーパーインポーズによって、測定信号５２が作成される。これは図の左下の隅にある図表で示されており、図表は、時間ｔに依存するスーパーインポーズされた信号のローカル電力レベルＬＰを示す。
【００３１】
送信手段３４は、測定調整メッセージを光ネットワークユニットに送信するように設計される。この測定調整メッセージは、監視信号を送信すべきであるという情報、およびこの監視信号の信号送信時刻、たとえば開始ビット数を含む。測定調整メッセージは、ＯＮＵ１〜９に送信される。測定調整メッセージは、ＯＬＴ３０とこれらのＯＮＵ１〜９を接続する光ファイバリンク１５、１６上の小さい円６０で示されている。図で示した例では、６つの光ＯＮＵ１〜６だけが光監視信号４０〜４５を送信しているが、図の例では測定位置５０が第１のスプリッタ１０と第２のスプリッタ１１の間に位置しているため、ＯＮＵ７、８、９によって送信される光監視信号はこの測定位置５０に到達しないであろう。
【００３２】
測定調整メッセージ６０によって伝送される情報は、監視信号のプロパティが本発明の受動光ネットワークで指定される方法に依存する。所定の監視信号が送信される場合、すなわち周波数、持続期間、変調、および／または強度など監視信号のプロパティが事前定義されている場合、測定調整メッセージに含まれる情報は、信号の送信時刻だけを特徴付けるものである。様々な種類の監視信号のカタログをたとえば本発明のＯＮＵなど信号送信送受信装置に格納することもできる。この場合、測定調整メッセージ６０は、送信すべきどの監視信号が送受信装置によって選択されるかによって、たとえば短番号などのコードを含む。さらに、測定調整メッセージ６０は、監視信号を送信すべき送受信装置を特徴付けるコードを含むことができる。
【００３３】
所定の監視信号が送信されない場合、測定調整メッセージは、たとえば周波数、持続期間、変調、および／または強度、並びに信号の送信時刻など、送信すべき監視信号のパラメータ全てを含むデータセットを含む。
【００３４】
中央局３１は、加入者局から中央局３１までの信号経路の共通部分で光監視信号４０〜４５全てが互いにスーパーインポーズされるように、加入者局、すなわちＯＮＵ１〜９が光監視信号４０〜４５の送信を開始することを命令する位置にあるように構成される。
【００３５】
時間スケジューリング手段３２は、受動光ネットワークの時分割多重化システム７０によって時間スケジューリング手段３２に割り当てられた時間間隔内で前記信号送信時刻を選択するように設計することができる。この時分割多重化システム７０は、たとえば中央局３１内に、または任意のネットワーク監督装置内にローカライズすることができる。時分割多重化システム７０およびスケジューリング手段３２を少なくとも１つのソフトウェアプログラマブルマイクロプロセッサとして実装することができる。さらに、ＯＬＴ３０は受信手段３６を備える。こうした受信手段３６を使用して、光ネットワーク上の任意のデータトラフィックを受信し、かつ／または測定信号の少なくとも一部の特性を検出し分析することができる。
【００３６】
本発明の光ネットワークユニット１〜９は、共に動作できるように相互接続された受信手段８０、送信手段８１、および時間補正手段８２を備えているが、図には１つのＯＮＵ３しか示されていない。ＯＮＵ１〜９の受信手段８０は、上述のように測定調整メッセージを受信するように設計される。さらに、受信手段８０を、光ファイバリンク１５、１６の前記セクション、すなわち測定位置５０内で反射される測定信号５２の一部を受信するように設計することができる。したがって、ＯＮＵ１〜９は、測定信号５２の受信部分の特性を検出かつ／または分析するように設計された検出および／または分析手段を備える。こうした検出および／または分析手段を受動光ネットワークの任意の送受信装置または受動光ネットワークに接続された任意の他の装置に配置することができる。時間補正手段８２、並びに検出および／または分析手段３２を少なくとも１つのソフトウェアプログラマブルマイクロプロセッサとして実装することができる。
【００３７】
ＯＮＵ１〜９の送信手段８１は、光監視信号４０〜４５を、受信された測定調整メッセージ６０によって実行依頼される信号送信時刻に光ファイバリンク１５、１６を介して送信するように設計される。図では、これは、図の右上の隅にある図表によって示されている。図表は、時間ｔに依存する個々のＯＮＵの監視信号の出力電力レベルＥＰを示す。依頼された信号送信時刻は、図表でｔｐと呼ばれる。
【００３８】
したがって、加入者局としてのＯＮＵ１〜９は、命令された場合に、所与の時刻ｔｐに光監視信号４０〜４５の送信を開始する位置にあるように構成される。ＯＮＵ１〜９の時間補正手段８２は、測定調整メッセージ６０内に受信された信号送信時刻を各ＯＮＵ１〜９によって知られている個々の遅延等化で補正するように設計される。図表では、遅延等化はＴｄｉと呼ばれる。ただしｉは個々のＯＮＵ１〜９を列挙するものである。信号送信時刻は、依頼された信号送信時刻ｔｐから個々のＯＮＵ１〜９の遅延等化Ｔｄｉを差し引くことによって補正される。
【００３９】
図で示したように、中央局３１は、中央局３１自体が監視信号を送信する場合、６つの加入者局１〜６、通常は少なくとも２つまたは少なくとも１つが、中央局３１に向けて光監視信号４０〜４５の送信を開始して、前記加入者局からの信号経路の共通部分で光監視信号４０〜４５全てが互いにスーパーインポーズされるようにすることを命令する。受動光ネットワークの少なくとも一点で、すなわち測定位置５０で、スーパーインポーズされた監視信号およびその電力レベル、またはその反射あるいは散乱信号電力が検出されて分析される。
【００４０】
本発明は、受動光ネットワークの光ファイバリンク（１５、１６）の少なくとも１つのセクション（５０）、好ましくは受動分配ノード（１０〜１３）の後ろの分配セクションを監視する方法に関し、受動光ネットワークはこの方法のステップを実行するように設計されている。この方法は、
第１の光監視信号（４０）を前記セクションを介して第１の信号送信時刻に受動光ネットワークの第１の送受信装置（３０、１〜９）の送信手段（８１、３４）によって送信するステップと、
第２の光監視信号（４１〜４５）を前記セクションを介して第２の信号送信時刻に受動光ネットワークの第２の送受信装置（３０、１〜９）の送信手段（８１、３４）によって送信するステップであって、前記光監視信号（４０〜４５）、好ましくは光時間領域反射測定信号の送信時刻が、光監視信号（４０〜４５）が前記セクションを通過中にスーパーインポーズされて測定信号（５２）を作成するように調整される、ステップと、
前記測定信号（５２）の少なくとも一部の特性を好ましくは少なくとも１つの光監視信号送信送受信装置（１〜９）によって検出し分析するステップとを含む。
【図面の簡単な説明】
【００４１】
【図１】本発明の方法を実施する本発明による受動光ネットワークを概略的に示す図である。
【符号の説明】
【００４２】
１〜９  光ネットワークユニット
１０〜１３  受動分配ノード
１５、１６  光ファイバリンク
２０  分配セクション
２２  フィーダセクション
３０  光回線端末
３１  中央局
３２  時間スケジューリング手段
３４、８１  送信手段
３６、８０  受信手段
４０〜４５  光監視信号
５０  測定位置
５２  測定信号
６０  測定調整メッセージ
７０  時分割多重化システム
８２  時間補正手段
【図１】
2006180475.tif 000003
【外国語明細書】
2006180475.tif 000004
2006180475.tif 000005
2006180475.tif 000006
2006180475.tif 000007
2006180475.tif 000008
2006180475.tif 000009
2006180475.tif 000010
2006180475.tif 000011
2006180475.tif 000012
2006180475.tif 000013
2006180475.tif 000014
2006180475.tif 000015
2006180475.tif 000016
2006180475.tif 000017
2006180475.tif 000018
2006180475.tif 000019
2006180475.tif 000020
2006180475.tif 000021
2006180475.tif 000022
2006180475.tif 000023
2006180475.tif 000024
2006180475.tif 000025